(57)【要約】【課題】壁体の高さにかかわらず、簡易な構成により壁面全体を均一に湿潤化させることを可能とした保水性壁体を提案する。【解決手段】上下に並設された複数の保水性の板材３と、複数の板材３を支持する壁本体２と、複数の板材３に上方から水を供給する上給水手段４と、中段から下方の複数の板材３に水を供給する中間給水手段５とを備える保水性壁体１であり、中間給水手段５は溝以外に通水孔５ａ又は棒５ｂを介して流下させて給水することができる。【選択図】図１
2015117517.tif 000002
【特許請求の範囲】
【請求項１】
上下に並設された複数の保水性の板材と、
前記複数の板材に上方から水を供給する上給水手段と、
前記複数の板材に中段から水を供給する中間給水手段と、
を備えていることを特徴とする、保水性壁体。
【請求項２】
前記中間給水手段が、保水性の板材を取付けている壁本体に設けた溝であることを特徴とする、請求項１に記載の保水性壁体。
【請求項３】
中段から下方の前記板材が、壁本体から離間して取り付けられ、前記中間給水手段が、棒状体であることを特徴とする、請求項１に記載の保水性壁体。
【発明の詳細な説明】
【技術分野】
【０００１】
本発明は、暑熱緩和に寄与する保水性壁体に関する。
【背景技術】
【０００２】
近年、都市部におけるヒートアイランド現象が社会問題となっている。
ヒートアイランド現象の原因の一つとして、建物の外壁や道路の舗装等による日射熱の蓄熱作用が挙げられている。
【０００３】
このようなヒートアイランド現象の対策工として、複数の保水性建材を並設することにより建物の外壁を形成し、この外壁の最上部から保水性建材に水を供給する場合がある。この対策工では、保水性建材に供給された水分の気化熱により外壁の表面温度を低下させる。
【０００４】
ところが、外壁が高い場合には、最上部から供給された水分が外壁の下側に配設された保水性建材に供給されずに、外壁の湿潤化にバラツキが生じる場合がある。外壁の湿潤化にバラツキがあると、表面温度の冷却化が不十分になるおそれがある。
【０００５】
そのため、特許文献１には、複数の多孔質セラミックス版を保持する格子状のフレームと、水を通水する給水管と、多孔質セラミックス版の背面に配設されているとともに両端が給水管に接続された蛇行状の毛細針金とを備える保水性の外壁であって、毛細針金が毛細管現象を引き起こし、多孔質セラミックスの全体に水を吸収させる保水性の外壁が開示されている。
【先行技術文献】
【特許文献】
【０００６】
【特許文献１】特開２００４−３６０３４９号公報
【発明の概要】
【発明が解決しようとする課題】
【０００７】
特許文献１の外壁は、給水管をフレームに沿って配管するとともに、フレームを貫通するように毛細針金を配設する必要があり、構築時に手間がかかる。
また、多方向に張り巡らされた毛細針金や給水管のメンテナンスに手間がかかる。
【０００８】
このような観点から、本発明は、壁体の高さにかかわらず、簡易な構成により壁面全体を均一に湿潤化させることを可能とした保水性壁体を提案することを課題とする。
【課題を解決するための手段】
【０００９】
前記課題を解決するために、本発明は、上下に並設された複数の保水性の板材と、前記複数の板材に上方から水を供給する上給水手段と中段から水を供給する中間給水手段とを備える保水性壁体であることを特徴としている。
【００１０】
かかる保水性壁体によれば、上下に並設された複数の板材に対して、上と中段から水を供給するため、壁体の高さにかかわらず、壁面全体を湿潤化できる。そのため、冷却効果が優れている。
また、上と中段から水を供給することで、湿潤化に必要な給水量の制御が容易である。
【００１１】
保水性壁体の上部に配設された板材は、上給水手段から供給された水分が流下することにより湿潤化する。一方、保水性壁体の中段から下方に配設された板材は、中間給水手段から供給された水分により湿潤化する。
【００１２】
前記保水性壁体を壁本体に保持し、前記壁本体に設けた溝に通水すれば、前記板材に水分の給水が効率的に行われる。
【００１３】
前記板材が上下に隣接する他の前記板材と隙間をあけて配設されている場合であっても、前記壁本体に有する給水の溝を介して、前記板材に水分の給水が移動するため、壁体全体を均一に湿潤化することが可能となる。
【発明の効果】
【００１４】
本発明の保水性壁体によれば、壁体の高さにかかわらず、壁面全体を均一に湿潤化することが可能となる。
【図面の簡単な説明】
【００１５】
【図１】（ａ）は保水性壁体を示す立面図、（ｂ）は（ａ）のＡ−Ａ断面図である。
【図２】（ａ）は本実施形態の中間給水手段の経路を示す立面図、（ｂ）は（ａ）のＢ−Ｂ断面図である。
【図３】（ａ）はさらに上給水手段の経路を示す立面図、（ｂ）は（ａ）のＣ−Ｃ断面図である。
【図４】（ａ）は中間給水手段の他の経路を示す立面図、（ｂ）は（ａ）のＤ−Ｄ断面図である。
【図５】（ａ）は中間保水手段の他の実施形態を示す立面図、（ｂ）は（ａ）のＥ−Ｅ断面図である。
【発明を実施するための形態】
【００１６】
本実施形態の保水性壁体１は、図１に示すように、壁本体２と、板材３と、上給水手段４と、中間下給水手段５とを備えている。
【００１７】
壁本体２は、垂直に立設された板状部材であって、複数の板材３を支持している。
なお、壁本体２の構成は、複数の板材３を支持することができれば限定されるものではなく、例えば、枠状（格子状）に形成されていてもよい。また、壁本体２は、必ずしも垂直である必要はなく、傾斜していてもよい。また、壁本体２の材質も限定されない。
【００１８】
壁本体２には、板材３の配置に対応して、複数の貫通孔２ａが形成されている。本実施形態では、１枚の板材３に対して貫通孔２ａが２カ所ずつ形成されている。
なお、貫通孔２ａは板材３の固定方法（取付治具８の構成）に応じて形成すればよく、省略してもよい。また、貫通孔２ａの配置や数も限定されない。
【００１９】
本実施形態の壁本体２は、上端および左右端（図示せず）が枠体６に固定されている。なお、枠体６は必要に応じて配設すればよい。また、壁本体２の枠体６への固定方法は限定されない。
【００２０】
壁本体２の表面には、複数の板材３が上下左右に並設されている（図では、上下１列のみ表示し、左右列は省略している）。
本実施形態では、上下に６枚の板材３を並設しているが、板材３の段数は限定されない。また、板材３の横方向に並設する列数も限定されない。さらに、板材３は千鳥状に配設してもよい。
【００２１】
板材３は、多孔質材料により構成された保水性を有する部材である。本実施形態の板材３は、横長の長方形を呈しているが、板材３の形状は限定されない。
なお、板材３を構成する材料は限定されないが、本実施形態では、セラミックスを採用する。
【００２２】
板材３には、壁本体２の貫通孔２ａの位置に対応して、貫通孔３ａが２カ所ずつ形成されている。
板材３は、貫通孔２ａ，３ａに挿通される取付治具８を介して壁本体２に固定されている。本実施形態では、取付治具８として、ボルトと、これに締着されるナットを採用するが、取付治具８の構成は限定されない。
【００２３】
板材３を壁本体２に固定する場合には、ボルトの軸部を板材３の貫通孔３ａと壁本体２の貫通孔２ａに挿通した状態で、ナットを締め付ければよい。
【００２４】
本実施形態では、１枚の板材３に対して、２つの取付治具８により固定しているが、板材３の固定点数は限定されない。
【００２５】
最上段に配設された板材３の上方の枠体６の上に通水が可能な樋７（水路）が配設されている。
【００２６】
上給水手段４は、板材３に対応する位置（板材３の真上）において桶７の底面及び板体６に貫通孔が形成されている。上給水手段４を流れる水Ｗは、貫通孔から滴下（落下）して板材３に供給される。
板材３が保水量をこえると、下方の板材３に水滴として水Ｗを流下して、下方の板材３に供給される。
【００２７】
なお、貫通孔の配置や形状は限定されるものではないが、本実施形態では、板材３に水滴として水Ｗを供給する大きさとする。
【００２８】
中間給水手段５は、上給水手段と同様に桶７の底面及び板体６に形成した貫通孔に接続され壁本体２に設けられた溝である。
【００２９】
中間給水手段５は、上下に配列された板材３の中段から下方の板材３に水Ｗを供給する。図２に示したように、中段から下方の板材３が取り付けられる壁本体２に中間給水手段５の溝が連通している。
【００３０】
桶７から滴下した水Ｗは、中間給水手段の５の溝に沿って流下し、中段から下方の板材３の裏面に達し、板材３に水Ｗを供給する。
【００３１】
本実施形態の保水性壁体１によれば、上給水手段４および中間給水手段５により、複数の板材３に水が供給されるため、保水性壁体１に対して全体的に水が供給される。
【００３２】
したがって、保水性壁体１の壁高が大きい場合であっても、壁全体を均一に湿潤化させることが可能となる。
保水性壁体１に均一な湿潤面が形成すれば、効率的な冷却効果を期待することができる。
【００３３】
例えば、１０ｍ×１０ｍの保水性壁体１を形成した場合において、本実施形態の保水性壁体１の構造により壁全体を湿潤化した場合と、従来の上からのみの給水のために下半分の湿潤化ができない場合とを比較すると、本実施形態の保水性壁体１によれば平均放射温度の低減効果が従来の保水性壁体の２倍となり、体感温度を１〜２℃程度低下させ、壁近傍の暑熱緩和の向上が期待できる。
【００３４】
保水性壁体１の上部に配設された板材３は、桶７の底面及び枠体６の貫通孔から点滴給水された水Ｗを保水することで湿潤状態を維持する。上給水手段４から供給された水Ｗは、最上段の板材３に保水されつつ流下して、下方の板材３へ供給される。
【００３５】
保水性壁体１の中段から下方に配設された板材３は、中間給水手段５により水Ｗを保水する。
【００３６】
つまり、本実施形態の保水性壁体１によれば、上給水手段４のみでは水Ｗが行き渡らない中段から下部の板材３に対しても、中間給水手段５から水Ｗを供給することで、壁全体の湿潤化を可能としている。
【００３７】
また、中間給水手段５を利用して中段から水を供給するため、上給水手段４を介して上方から供給する水の量を制御することもできる。
【００３８】
以上、本発明に係る実施形態について説明した。しかし、本発明は、前述の実施形態に限られず、前記の各構成要素については、本発明の趣旨を逸脱しない範囲で、適宜変更が可能である。
例えば、保水性壁体１の設置個所は限定されるものではなく、例えば、建物等の外壁として使用してもよいし、道路等の境界壁として使用してもよい。
【００３９】
また、前記実施形態では、壁本体２の上端部（枠体６の上）のみに桶７を配設する場合について説明したが、例えば、壁本体２の上部に配設された板材３同士の間にも桶を配設する等、上給水手段４は複数段配設してもよい。
【００４０】
また、前記実施形態では、上給水手段４は、桶７の底面及び枠体６に設けた貫通孔から滴下する場合について説明したが、図３に示すように、中間給水手段５の溝と同様に上給水手段４に溝を適用してもよい。
【００４１】
また、前記実施形態では、中間給水手段５の溝を上方から設けた場合について説明したが、図４に示すように壁本体に通水孔５ａを設けてもよい。
また、中断から下すべてに溝５ａを設けた場合を説明したが、下方の板材３には溝を設けず、上給水手段４による場合と同様に板材３からの流下であってもよい。
【００４２】
さらに、前記実施形態では、中間給水手段５の溝から給水したが、図５に示すように中段から下方の板材３を壁本体２から離間させ、中間給水手段５を沿棒５ｂにして中段から下方の板材３に給水するようにしてもよい。
沿棒５ｂは、棒体や中空管あるいは溝を有する棒体であってもよく、断面形状も円形、角形のいずれでもよい。
【００４３】
前記実施形態では、全ての板材３について同じ材料を採用したが、板材３は、必ずしも全てが同じ材料である必要はない。例えば、壁本体２の下部に配設される板材３に比べて、上部に配設される板材３は、細孔が粗いものであってもよい。
【符号の説明】
【００４４】
１  保水性壁体
２  壁本体
３  板材
４  上給水手段
５  中間給水手段
７  桶
Ｗ  水
【図１】
2015117517.tif 000003
【図２】
2015117517.tif 000004
【図３】
2015117517.tif 000005
【図４】
2015117517.tif 000006
【図５】
2015117517.tif 000007